(57)【要約】【課題】透光層の表面側に形成された模様層の模様パターンを、該透光層の裏面側に形成された鏡面層の鏡面に写り込ませるだけで、様々な模様からなるモアレ模様を現出することができるモアレ模様装飾体の提供を目的とする。【解決手段】透光性を有する装飾プレート２の表面側に印刷された模様層３の模様パターンを、該装飾プレート２の裏面側に印刷された鏡面層４の鏡面４ａに写り込ませる。これにより、モアレ模様装飾体１の表面側を正面或いは斜め方向から目視すれば、装飾プレート２に印刷された模様層３の模様パターンと、鏡面層４の鏡面４ａに写り込ませた模様層３の模様パターンとが似て非なる大きさに見えるので、網点模様のモアレ模様が現出される。【選択図】図１
2010162807.tif 000002
【特許請求の範囲】
【請求項１】
所望する模様パターンのモアレ模様を現出するモアレ模様装飾体において、
前記模様パターンの目視が許容される程の透明度を有する透光層の表面側に、前記模様パターンの模様層が形成され、
前記透光層の裏面側に、前記模様パターンの模様層の裏面側を写り込ませるための鏡面層が形成された
モアレ模様装飾体。
【請求項２】
前記模様層は、異なる色に配色された表側模様と裏側模様とを、該表裏模様の模様パターンが一致するように上下に重ね合せて形成された
請求項１に記載のモアレ模様装飾体。
【請求項３】
前記模様層上に設定された領域内の表示内容と対応する部分に配置された模様と、該表示内容以外の部分に配置された模様とが異なる色に配色された
請求項２に記載のモアレ模様装飾体。
【請求項４】
前記表側模様と裏側模様との間に、該表裏模様の色が透けて見えるのを防止する透過防止膜が形成された
請求項２又は３に記載のモアレ模様装飾体。
【請求項５】
前記透光層と前記模様層との間に、透光性を有する凸レンズが形成された
請求項１〜４のいずれか一つに記載のモアレ模様装飾体。
【請求項６】
前記透光層の表面側に形成された透光性を有する凸レンズの間に、前記模様層の模様パターンが形成された
請求項１〜４のいずれか一つに記載のモアレ模様装飾体。
【請求項７】
前記透光層は、透光性を有するプレートで構成された
請求項１〜６のいずれか一つに記載のモアレ模様装飾体。
【請求項８】
前記透光層は、
前記模様層が形成された透光性を有する第１プレートと、前記鏡面層が形成された第２プレートとの対向面間に形成される透光空間で構成された
請求項１〜７のいずれか一つに記載のモアレ模様装飾体。
【請求項９】
前記第１プレートと第２プレートとの間に、該各プレートの間隔を拡縮するための間隔調節手段が設けられた
請求項８に記載のモアレ模様装飾体。
【請求項１０】
前記模様層は、グラデーション付きの模様パターンに形成された
請求項１〜９のいずれか一つに記載のモアレ模様装飾体。
【請求項１１】
前記模様層は、前記透光層の表面側に貼着される透明シートの上に形成された
請求項１〜１０のいずれか一つに記載のモアレ模様装飾体。
【発明の詳細な説明】
【技術分野】
【０００１】
この発明は、例えば絵柄、図柄、図形、文字、記号等を含む様々な模様からなるモアレ模様（干渉縞）を現出することができるモアレ模様装飾体に関する。
【背景技術】
【０００２】
従来、上記モアレ模様を現出する装飾体としては、例えば透明パネルの表面側に透明保護シートを設け、該透明保護シートと透明パネルの表面との間に第１の模様が設けられ、透明パネルの裏面側に反射シートを設け、該反射シートと透明パネルの裏面との間に第２の模様１１が設けられた三次元装飾パネルがある（特許文献１参照）。  
この三次元装飾パネルは、透明パネルの表面側に設けられた第１の模様を、反射シートあるいは透明パネルの裏面側に設けられた保護シートの鏡面で反射するなどして、透明パネルの表面側に写し込ませる。これにより、モアレ現象の奥行き感や立体感ならびに模様の細やかさを向上させるものである。
【０００３】
しかし、特許文献１の三次元装飾パネルは、透明パネルの表面側に設けられた第１の模様と、該透明パネルの裏面側に設けられた第２の模様とでモアレ模様を現出するものであり、一方の模様だけではモアレ模様を現出することはできない。また、反射シート或いは鏡面印刷に第1の模様の裏側を写り込ませて、３層分のモアレ模様を現出することが開示されているが、３層分のモアレ模様を現出するには、第１の模様と第２の模様とが不可欠な要素であり、一つの模様だけでモアレ模様を現出するという構成及び思想の開示がない。
【先行技術文献】
【特許文献】
【０００４】
【特許文献１】特開２００８−１７３８９１号公報
【発明の概要】
【発明が解決しようとする課題】
【０００５】
この発明は、透光層の表面側に形成された模様層の模様パターンを、該透光層の裏面側に形成された鏡面層の鏡面に写り込ませるだけで、様々な模様からなるモアレ模様を現出することができるモアレ模様装飾体を提供することを目的とする。
【課題を解決するための手段】
【０００６】
この発明は、所望する模様パターンのモアレ模様を現出するモアレ模様装飾体において、前記模様パターンの目視が許容される程の透明度を有する透光層の表面側に、前記模様パターンの模様層が形成され、前記透光層の裏面側に、前記模様パターンの模様層の裏面側を写り込ませるための鏡面層が形成されたモアレ模様装飾体であることを特徴とする。
【０００７】
この発明の態様として、前記模様層は、異なる色に配色された表側模様と裏側模様とを、該表裏模様の模様パターンが一致するように上下に重ね合せて形成することができる。
【０００８】
また、この発明の態様として、前記模様層上に設定された領域内の表示内容と対応する部分に配置された模様と、該表示内容以外の部分に配置された模様とが異なる色に配色することができる。
【０００９】
また、この発明の態様として、前記表側模様と裏側模様との間に、該表裏模様の色が透けて見えるのを防止する透過防止膜が形成することができる。
【００１０】
また、この発明の態様として、前記透光層と前記模様層との間に、透光性を有する凸レンズが形成することができる。
【００１１】
また、この発明の態様として、前記透光層の表面側に形成された透光性を有する凸レンズの間に、前記模様層の模様パターンが形成することができる。
【００１２】
また、この発明の態様として、前記透光層は、透光性を有するプレートで構成
することができる。
【００１３】
また、この発明の態様として、前記透光層は、前記模様層が形成された透光性を有する第１プレートと、前記鏡面層が形成された第２プレートとの対向面間に形成される透光空間で構成することができる。
【００１４】
また、この発明の態様として、前記第１プレートと第２プレートとの間に、該各プレートの間隔を拡縮するための間隔調節手段を設けることができる。
【００１５】
また、この発明の態様として、前記模様層は、グラデーション付きの模様パターンに形成することができる。
【００１６】
また、この発明の態様として、前記模様層は、前記透光層の表面側に貼着される透明シートの上に形成することができる。
【００１７】
前記透光層は、例えばプラスチック、ガラス等の透光性を有する材質で形成され、模様パターンの目視が許容される程の透明度を有する透明なプレート、或いは、２枚のプレートの間に形成される透光空間等で構成することができる。また、鏡面層の鏡面に対する模様パターンの写し込み、或いは、鏡面層の鏡面に写り込ませた模様パターンの目視が可能であれば、前記透光層及びプレートを、半透明或いは所望する色に着色された半透明な材質で構成してもよい。また、プラスチックとしては、例えばポリエチレン、ポリプロピレン、ポリエステル、アクリル、ナイロン、塩化ビニル等を用いることができる。
【００１８】
前記模様層は、例えばドット状の網点、直線や曲線を含む縞線等の単一模様パターン、或いは、網点、縞線を組み合わせてなる複合模様パターンで構成することができる。また、模様パターンは、例えば絵柄、図柄、図形、文字、記号等を含む各種模様、或いは、ドット模様、星模様、花模様、リング模様、格子模様、桝目模様、ストライプ模様等の様々な模様で構成することができる。
【００１９】
また、模様パターンの色は、例えば黒色、白色、赤色、黄色、青色、緑色等で構成することができる。また、網点は、例えば正方形、矩形、三角形、五角形、楕円形、菱形、星形、ハート形、花形、雲形等で構成することができる。また、模様パターンを印刷する方法は、例えばスクリーン印刷、オフセット印刷、グラビア印刷、活版印刷等で構成することができる。
【００２０】
前記鏡面層は、例えば乾燥した際に表面が鏡面となるか、乾燥した際に光沢が出るようなメタリック調やクローム調のインク或いは塗料で構成することができる。また、アルミ箔等の鏡面性を有する金属箔で構成するか、プラスチック製プレート或いは金属製プレートの表面をメッキ処理、蒸着処理、鏡面加工する等して構成することができる。
【００２１】
前記透過防止膜は、例えば異なる色の表模様と裏模様とを上下に重ね合わせて印刷する際に、該表裏模様の色が透けて見えることがなく、表裏模様の色が明瞭となるような白色のインクや塗料等で構成することができる。
【００２２】
前記表示内容は、例えば絵柄、図柄、図形、文字、記号等で構成することができる。また、凸レンズは、例えば透光層の表面側と平行する方向から見て半球形状、円弧形状、台形状、三角形状等の断面形状に形成することができる。また、間隔調節手段は、例えばネジ送り式の間隔調節機構等で構成することができる。
【発明の効果】
【００２３】
この発明によれば、透光層の表面側に形成された模様層の模様パターンを、該透光層の裏面側に形成された鏡面層の鏡面に写り込ませるだけで、様々な模様からなるモアレ模様を現出することができる。
【図面の簡単な説明】
【００２４】
【図１】第１実施例のモアレ模様装飾体を示す縦断側面図。
【図２】図１のモアレ模様装飾体に現出されるモアレ模様を示す正面図。
【図３】第２実施例のモアレ模様装飾体を示す縦断側面図。
【図４】第３実施例のモアレ模様装飾体を示す縦断側面図。
【図５】図４のモアレ模様装飾体に現出される表示内容を示す正面図。
【図６】表示内容の他の現出方法を示す縦断側面図。
【図７】表示内容のその他の現出方法を示す縦断側面図。
【図８】表示内容のさらにその他の現出方法を示す縦断側面図。
【図９】第４実施例のモアレ模様装飾体を示す縦断側面図。
【図１０】第１プレートに印刷された模様層の他の例を示す縦断側面図。
【図１１】第１プレートに印刷された模様層のその他の例を示す縦断側面図。
【図１２】第５実施例のモアレ模様装飾体を示す縦断側面図。
【図１３】模様層の他の印刷例を示す縦断側面図。
【図１４】模様層のその他の印刷例を示す縦断側面図。
【図１５】第６実施例のモアレ模様装飾体を示す縦断側面図。
【図１６】第７実施例のモアレ模様装飾体を示す縦断側面図。
【図１７】第８実施例のモアレ模様装飾体を示す縦断側面図。
【図１８】ストライプ模様の模様パターンを印刷した例を示す正面図。
【図１９】星模様の模様パターンを印刷した例を示す正面図。
【図２０】花模様の模様パターンを印刷した例を示す正面図。
【図２１】リング模様の模様パターンを印刷した例を示す正面図。
【図２２】グラデーション付き模様パターンを印刷した例を示す正面図。
【発明を実施するための形態】
【００２５】
図１は、本発明の一実施形態である透光性を有する装飾プレート２の表面側に模様層３を印刷し、該装飾プレート２の裏面側に鏡面層４を印刷した第１実施例のモアレ模様装飾体１を示す縦断側面図、図２は、装飾プレート２の表面側に現出されるモアレ模様を示す正面図である。
【００２６】
第１実施例のモアレ模様装飾体１は、透光性を有するプラスチックで形成され、後述する模様層３の模様パターンの目視が許容される程の透明度を有する透明な装飾プレート２と、装飾プレート２の表面側にスクリーン印刷された網点模様の模様パターンからなる１層の模様層３と、装飾プレート２の裏面側にスクリーン印刷された模様層３の裏面側を写り込ませるための鏡面層４とで構成される。
【００２７】
また、装飾プレート２の表面側には、網点模様の模様パターンからなる模様層３が印刷されている。また、該装飾プレート２の裏面側には、模様層３の裏面側を写り込ませるための鏡面層４が印刷されている。
【００２８】
装飾プレート２は、該装飾プレート２の表面側に形成された前記模様層３の模様パターン（網点３Ａ）の間から、前記鏡面層４の鏡面４ａに写り込んだ前記模様層３の模様パターンの目視が許容される厚みｈ１に形成されている。
【００２９】
模様層３は、単一色のインクからなる網点模様の模様パターンを装飾プレート２の表面側にスクリーン印刷して形成されている。また、模様層３のドット状の網点３Ａは、装飾プレート２の表面側から見て丸形状で同径に形成されるとともに、装飾プレート２の表面に対し等間隔に隔てて配列されている。
【００３０】
網点３Ａの間は、鏡面層４の鏡面４ａに写り込ませた模様層３の模様パターン（網点３Ａ）の目視が許容される間隔に隔てられている。なお、模様層３を、例えば装飾プレート２の表面側に貼着される透光性を有するフィルム或いはシートに印刷してもよい。
【００３１】
鏡面層４は、乾燥した際に表面が鏡面となる銀色のインクを装飾プレート２の裏面側にスクリーン印刷して形成されている。また、鏡面層４の表面側には、装飾プレート２の表面側に印刷された模様層３の網点３Ａの裏面側を写り込ませるための鏡面４ａが形成される。
【００３２】
これにより、装飾プレート２の表面側に印刷された模様層３の模様パターン（網点３Ａ）の裏側が、装飾プレート２の裏面側に印刷された鏡面層４の鏡面４ａに写り込むことになる。
【００３３】
第１実施例のモアレ模様装飾体１の表面側を正面或いは斜め方向から目視すれば、装飾プレート２に印刷された模様層３の模様パターン（網点３Ａ）の間から、鏡面層４の鏡面４ａに写り込ませた模様層３の模様パターン（網点３Ａ）が見え隠れするだけでなく、模様がズレて見えることになる。
【００３４】
また、装飾プレート２の厚みｈ１に比例して、鏡面層４の鏡面４ａに写り込ませた模様層３の模様パターンの虚像が、装飾プレート２に印刷された模様層３の模様パターンの実像より小さく、網点３Ａの間隔が狭くなるとともに、装飾プレート２の厚みｈ１を倍加した距離ｈ２だけ遠くの方に見えることになる（図１の仮想線参照）。
【００３５】
つまり、装飾プレート２に印刷された模様層３の模様パターンと、鏡面層４の鏡面４ａに写り込ませた模様層３の模様パターンとは相似形であるが、似て非なる大きさに見える。また、模様パターンの重なり合う部分と、重なり合わない部分とが交互に現れるので、図２に示すような網点模様のモアレ模様が現出される。
【００３６】
また、模様層３の模様パターンが鏡面層４の鏡面４ａに写り込むことにより、図１の仮想線で示す模様層３の模様パターン（網点３Ａ）を見ているような視覚的効果が得られ、装飾プレート２の厚みｈ１を倍加した距離ｈ２に対応する奥行が出るので、立体的なモアレ模様を現出することができる。
【００３７】
以上のように、装飾プレート２の表面側に印刷された模様層３の模様パターン（網点３Ａ）の裏側を、装飾プレート２の裏面側に印刷された鏡面層４の鏡面４ａに写り込ませるので、装飾プレート２に印刷された模様層３の模様パターンと、鏡面層４の鏡面４ａに写り込ませた模様層３の模様パターンとが似て非なる大きさに見え、図２に示す網点模様のモアレ模様を現出することができる。
【００３８】
また、装飾プレート２の表面側に印刷された模様層３の模様パターンを、装飾プレート２の裏面側に印刷された鏡面層４の鏡面４ａに写り込ませるだけであるので、従来例のように透明パネルの裏面側に模様を印刷する必要がなく、印刷工程の削減及び印刷コストの低減を図ることができる。且つ、モアレ模様装飾体１を安価に製作することができる。
【００３９】
また、モアレ模様装飾体１の表面側を目視する方向あるいは角度によって、モアレ模様装飾体１の表面側に現出されるモアレ模様の大きさや位置、範囲が変化するだけでなく、モアレ模様の密度が密状態と粗状態との間で変化することになる。これにより、モアレ模様の変化を視覚的に楽しむことができ、例えば宣伝や案内、商品の販売等の様々な用途及び目的に利用すれば、人の注目を集めやすく、高い宣伝効果が得られる。
【００４０】
また、装飾プレート２の厚みｈ１が薄くなるほど、鏡面層４の鏡面４ａに写り込ませた虚像側の模様パターンが、装飾プレート２に印刷された実像側の模様パターンの近くに見えるとともに、虚像側の模様パターンと実像側の模様パターンとの大きさが徐々に近くなる。
【００４１】
また、装飾プレート２の厚みｈ１が厚くなるほど、鏡面層４の鏡面４ａに写り込ませた虚像側の模様パターンが、装飾プレート２に印刷された実像側の模様パターンよりも小さく遠くの方に見える。さらに、虚像側の模様パターンの大きさが実像側の模様パターンより徐々に小さくなる。これにより、装飾プレート２の厚みｈ１を変更することにより、モアレ模様の現出パターンを簡単且つ容易に変更することができる。
【００４２】
図３は、模様層３の網点３Ａを、異なる色のインクからなる表側網点３１と裏側網点３２とを上下に重ね合せて同一の模様パターンで２層に印刷した第２実施例のモアレ模様装飾体１を示すものである。
【００４３】
表側網点３１と裏側網点３２とは、装飾プレート２の表面側に印刷された裏側網点３２の上に、表側網点３１を模様パターンが一致するように重ね合せて印刷されている。また、表側網点３１と裏側網点３２との間には、該各模様３１，３２の色が透けて見えるのを防止するための透過防止膜３３が同一の模様パターンで印刷されている（図３のａ部拡大図参照）。
【００４４】
透過防止膜３３は、装飾プレート２の表面側に印刷された裏側網点３２の上に、白色のインクで同一の模様パターンで印刷されている。さらに、透過防止膜３３の上に、表側網点３１が同一の模様パターンで印刷されている。つまり、裏側網点３２の色が表側網点３１の上から透けて見えることがなく、また、表側網点３１の色が裏側網点３２から透けて見えることがない。
【００４５】
これにより、装飾プレート２の表面側に印刷された模様層３の模様パターンと、鏡面層４の鏡面４ａに写り込ませた模様層３の模様パターンとが明瞭に現れ、異なる色の模様パターンからなるモアレ模様（図２参照）を現出することができるとともに、前記第１実施例のモアレ模様装飾体１と同等の作用及び効果を奏することができる。
【００４６】
図４は、模様層３上に設定された領域Ｈ内に表示される「Ａ」の表示内容（図５参照）をモアレ模様と組み合わせて現出する第３実施例のモアレ模様装飾体１を示すものである。
【００４７】
つまり、「Ａ」の表示内容と対応して網点３Ａの下層側に印刷された一部の裏側網点３２と、表示内容以外の部分に配置された裏側網点３２、或いは、表示内容の周囲に配置された裏側網点３２とが異なる色のインクで配色されている。
【００４８】
「Ａ」の表示内容と対応する部分に配置された異なる色の裏側網点３２が、その部分とは異なる色の表側網点３１によって覆われているので、モアレ模様装飾体１の表面側を正面から目視しても、異なる色の裏側網点３２からなる「Ａ」の表示内容は目視することができない。
【００４９】
しかし、「Ａ」の表示内容と対応する部分に配置された異なる色の裏側網点３２が、装飾プレート２の裏面側に印刷された鏡面層４の鏡面４ａに写り込むため、装飾プレート２に印刷された表側網点３１の間から、鏡面層４の鏡面４ａに写り込ませた異なる色の裏側網点３２からなる「Ａ」の表示内容を読み取ることができる（図５参照）。
【００５０】
これにより、異なる色の裏側網点３２からなる「Ａ」の表示内容を、モアレ模様と組み合わせて現出することができるとともに、前記第１実施例のモアレ模様装飾体１と同等の作用及び効果を奏することができる。
【００５１】
図６は、前記表示内容の他の現出方法を示すものである。つまり、「Ａ」の表示内容と対応する部分に配置された裏側網点３２を除き、表示内容以外の部分に配置された裏側網点３２を、表示内容と対応する部分の裏側網点３２と異なる色に配色してもよい。
【００５２】
これにより、異なる色の裏側網点３２からなる「Ａ」の表示内容を、モアレ模様と組み合わせて現出することができるとともに、前記第３実施例のモアレ模様装飾体１と作用及び効果を奏することができる。
【００５３】
図７は、前記表示内容のその他の現出方法を示すものである。つまり、表示内容と対応する部分に印刷された表側網点３１を、表示内容以外の部分に配置された表側網点３１と異なる色に配色してもよい。
【００５４】
これにより、異なる色の表側網点３１からなる「Ａ」の表示内容と、鏡面層４の鏡面４ａに写り込ませた異なる色の裏側網点３２からなる「Ａ」の表示内容とが似て非なる大きさに見える。また、模様パターンが重なり合う部分と、重なり合わない部分とが交互に現れるので、異なる色の裏側網点３２からなる「Ａ」の表示内容を、モアレ模様と組み合わせて現出することができる。
【００５５】
図８は、前記表示内容のさらにその他の現出方法を示すものである。つまり、表示内容と対応する部分に裏側網点３２を印刷せず、表示内容と対応する部分の表側網点３１を装飾プレート２の表面側に直接印刷してもよく、前記第３実施例のモアレ模様装飾体１と作用及び効果を奏することができる。  
なお、表示内容の周囲に配置された表側網点３１或いは裏側網点３２を、表示内容と対応する部分に配置された裏側網点３２と異なる色に配色してもよい。
【００５６】
図９は、前記模様層３が表面側に印刷された透光性を有する第１プレート３０と、前記鏡面層４が表面側に印刷された不透明な第２プレート４０との間に支持部材５０を挟み込んで、第１プレート３０と第２プレート４０との間に透光空間２０を形成した第４実施例のモアレ模様装飾体１を示すものである。
【００５７】
つまり、第１プレート３０に印刷された模様層３の模様パターンの裏側が、第２プレート４０に印刷された鏡面層４の鏡面４ａに写り込むので、モアレ模様装飾体１の表面側を正面或いは斜め方向から目視すれば、第１プレート３０の表面側に印刷された模様層３の模様パターンと、第２プレート４０に印刷された鏡面層４の鏡面４ａに写り込ませた模様層３の模様パターンとがズレて見えることになる。
【００５８】
これにより、第１実施例と同様に、第１プレート３０に印刷された模様層３の模様パターンと、鏡面層４の鏡面４ａに写り込ませた模様層３の模様パターンとが似て非なる大きさに見える。また、模様パターンが重なり合う部分と、重なり合わない部分とが交互に現れるので、図２に示す網点模様のモアレ模様が現出されるとともに、プレート３０，４０の間に形成された透光空間２０と対応する奥行、立体感が得られる。
【００５９】
また、模様層３の模様パターンが鏡面層４の鏡面４ａに写り込むことにより、透光空間２０と対応するプレート３０，４０間の間隔ｊ１を倍加した距離ｊ２に対応する奥行が出るだけでなく、鏡面層４の鏡面４ａに写り込ませた模様パターンの虚像が、第１プレート３０に印刷された模様パターンの実像より小さく遠くの方に見えることになる。
【００６０】
また、支持部材５０を、所望する長さに形成された別の支持部材５０に交換して、第１プレート３０と第２プレート４０とを近接又は離間すれば、鏡面層４の鏡面４ａに写り込ませる模様層３の模様パターンが縮小或いは拡大される。
【００６１】
つまり、第１プレート３０と第２プレート４０との間隔ｊ１が狭くなるほど、鏡面層４の鏡面４ａに写り込ませた模様パターンが、第１プレート３０に印刷された模様パターンの近くに見えるとともに、虚像側の模様パターンと実像側の模様パターンとの大きさが徐々に近くなる。
【００６２】
また、第１プレート３０と第２プレート４０との間隔ｊ１が広くなるほど、鏡面層４の鏡面４ａに写り込ませた模様パターンが、第１プレート３０に印刷された模様パターンよりも遠くの方に見える。さらに、虚像側の模様パターンの大きさが実像側の模様パターンより徐々に小さくなる。これにより、前記第１実施例の装飾プレート２の厚みを変更するか、モアレ模様装飾体１の全体を取り替える必要がなく、第１プレート３０と第２プレート４０との間隔ｊ１を変えるだけで、モアレ模様の現出パターンを簡単且つ容易に変更することができる。
【００６３】
また、第１プレート３０と第２プレート４０との間は、該プレート３０，４０の間に挟み込まれた支持部材５０によって、第１プレート３０の表面側に印刷された模様層３の模様パターン（網点３Ａ）の間から、前記鏡面層４の鏡面４ａに写り込んだ模様層３の模様パターン（網点３Ａ）の目視が許容される間隔に隔てられている。
【００６４】
また、模様パターンが印刷された第１プレート３０を、別の模様パターンが印刷された第１プレート３０に交換すれば、所望するモアレ模様の現出パターンに変更することができる。これにより、モアレ模様の種類と対応して、模様パターンが印刷されたモアレ模様装飾体１を複数用意しておくよりも安価に製作することができる。
【００６５】
また、第２プレート４０に印刷された鏡面層４が傷付くか剥離する等しても、その損傷した第２プレート４０を、未損傷の第２プレート４０に交換すれば、模様パターンの全体を、第２プレート４０に印刷された鏡面層４の鏡面４ａに写り込ませることができる。これにより、所望するモアレ模様を確実に現出することができる。
【００６６】
なお、模様層３を第１プレート３０の裏面側に印刷すれば、模様層３の表面が第１プレート３０で保護されるので、模様層３が傷付く、剥離するのを防止することができる。また、第２プレート４０が透光性を有する材質で形成されるならば、模様層３を、第２プレート４０の裏面側に形成してもよい。
【００６７】
図１０は、図９に示す模様層３の網点３Ａを、異なる色のインクからなる表側網点３１と裏側網点３２とを上下に重ね合せて同一の模様パターンで２層に印刷した他の例を示すものである。  
つまり、異なる色の模様パターンからなるモアレ模様が現出されるので、第２実施例のモアレ模様装飾体１と同等の作用及び効果を奏することができる。なお、表側網点３１及び裏側網点３２の印刷方法は、第２実施例と同一であるので、その詳細な説明を省略する。
【００６８】
図１１は、図９に示す模様層３の一部の裏側網点３２を、表示内容以外の部分或いは表示内容の周囲に配置された裏側網点３２と異なる色のインクで印刷したその他の例を示すものである。  
つまり、図５に示す「Ａ」の表示内容をモアレ模様と組み合わせて現出するので、第３実施例のモアレ模様装飾体１と同等の作用及び効果を奏することができる。
【００６９】
図１２は、装飾プレート２の表面側に形成された網点模様の凸レンズ２１の上に、単一色のインクからなる網点模様の模様層３が凸レンズ２１の模様パターンと一致するように重ね合せてスクリーン印刷された第５実施例のモアレ模様装飾体１を示すものである。
【００７０】
つまり、透光性を有するドット状の凸レンズ２１によって偏光された模様層３の模様パターンを鏡面層４の鏡面４ａに写り込ませるので、装飾プレート２の平坦な表面側に印刷された模様層３の模様パターンを写り込ませるよりも、鏡面層４の鏡面４ａに写り込ませる模様層３の模様パターンの変化或いは像の揺らぎが大きくなる。
【００７１】
これにより、凸レンズ２１の上に印刷された模様層３の模様パターンと、鏡面層４の鏡面４ａに写り込ませた模様層３の模様パターンとが似て非なる大きさに見えるだけでなく、現出されるモアレ模様の変化が大きく、前記第１実施例と同等又は同等以上の作用及び効果を奏することができる。
【００７２】
図１３は、図１２の凸レンズ２１の上に印刷された模様層３の他の印刷例を示すものである。  
つまり、凸レンズ２１の上に、異なる色のインクからなる表側網点３１と裏側網点３２とが凸レンズ２１の模様パターンと一致するように重ね合せて印刷されている。また、表側網点３１と裏側網点３２との間には、透過防止膜３３が同一の模様パターンで印刷されている（図１３のｂ部拡大図参照）。なお、凸レンズ２１は、装飾プレート２の表面側と平行する方向から見て断面半球形状に形成されている。
【００７３】
凸レンズ２１によって偏光された模様層３の模様パターンを鏡面層４の鏡面４ａに写り込ませるので、凸レンズ２１の上に印刷された模様層３の模様パターンと、鏡面層４の鏡面４ａに写り込ませた模様層３の模様パターンとが似て非なる大きさに見える。また、異なる色の模様パターンからなるモアレ模様の変化が大きくなるので、第２実施例と同等又は同等以上の作用及び効果を奏することができる。なお、表側網点３１及び裏側網点３２の印刷方法は、第２実施例と同一であるので、その詳細な説明を省略する。
【００７４】
図１４は、図１２の凸レンズ２１の上に印刷された模様層３のその他の印刷例を示すものである。  
つまり、図１３に示す凸レンズ２１の上に印刷された一部の裏側網点３２を、表示内容以外の残り部分に配置された裏側網点３２、或いは、表示内容の周囲に配置された裏側網点３２と異なる色のインクで印刷して、模様層３の裏面側に「Ａ」の表示内容を形成している。
【００７５】
凸レンズ２１によって偏光された異なる色の裏側網点３２からなる「Ａ」の表示内容を鏡面層４の鏡面４ａに写り込ませ、凸レンズ２１の上に印刷された模様層３の模様パターンと、鏡面層４の鏡面４ａに写り込ませた模様層３の模様パターンとが似て非なる大きさに見える。また、模様パターンが重なり合う部分と、重なり合わない部分とが交互に現れ、現出されるモアレ模様の変化が大きくなる。
【００７６】
これにより、異なる色の裏側網点３２からなる「Ａ」の表示内容を、変化が大きなモアレ模様と組み合わせて現出することができるとともに、第３実施例と同等又は同等以上の作用及び効果を奏することができる。
【００７７】
なお、凸レンズ２１の上に形成される表示内容を、図６、図７、図８に示す方法で印刷してもよい。また、第５実施例の凸レンズ２１を、第４実施例の第１プレート３０の表面側或いは裏面側に形成してもよい。
【００７８】
図１５は、図９に示す第１プレート３０と第２プレート４０との間に、該プレート３０，４０の間隔ｊ１を上下方向に拡縮するネジ送り式の間隔調節機構５１を備えた第６実施例のモアレ模様装飾体１を示すものである。
【００７９】
間隔調節機構５１は、調節ネジ５２の上下端部に螺刻された逆向きの雌ネジ部を、第１プレート３０の裏面側に固定された支持部５０ａと、第２プレート４０の表面側に固定された支持部５０ｂとに螺合している。つまり、調節ネジ５２を回動操作すれば、模様層３が印刷された第１プレート３０と、鏡面層４が印刷された第２プレート４０とが近接又は離間される方向へ相対移動される。
【００８０】
これにより、各プレート３０，４０間の透光空間２０の大きさ及び模様層３と鏡面層４の相対距離が変化するとともに、鏡面層４の鏡面４ａに写り込ませる模様層３の模様パターンが縮小或いは拡大されるので、現出されるモアレ模様の大きさや位置、範囲、或いは、モアレ模様の密度を自由に調節することができる。
【００８１】
なお、第６実施例の第１プレート３０の表面側に、第５実施例の凸レンズ２１を形成してもよい。また、間隔調節機構５１に代わる調節手段の他の例として、例えばモータ機構、シリンダ機構、ラチェット機構、カム機構等を用いてもよい。
【００８２】
図１６は、前記模様層３が印刷された透明シート５３を装飾プレート２の表面側に貼着した第７実施例のモアレ模様装飾体１を示すものである。  
つまり、特定の模様パターンの模様層３が印刷された透明シート５３を、別の模様パターンの模様層３が印刷された透明シート５３に張り替えるだけで、現出されるモアレ模様のパターン或いは表示内容を変更することができる。なお、模様層３が印刷されたシート或いはフィルムを、装飾プレート２又は第１プレート３０の表面側に貼着してもよい。
【００８３】
図１７は、前記装飾プレート２の表面側に形成された凸レンズ２１の間に、前記模様層３の模様パターン（網点３Ａ）が形成された第８実施例のモアレ模様装飾体１を示すものである。  
つまり、装飾プレート２の表面側に形成された模様層３の模様パターン（網点３Ａ）の間に凸レンズ２１が形成されているので、模様層３の網点３Ａの間に形成された凸レンズ２１を透して、鏡面層４の鏡面４ａに写り込ませた模様層３の模様パターンを目視することになる。
【００８４】
これにより、凸レンズ２１のレンズ効果により模様層３の模様パターンが浮き上がって見え、また、像が揺らいで見えるので、前記第５実施例と同等又は同等以上の作用及び効果を奏することができる。
【００８５】
図１８〜図２１は、前記模様層３の模様パターンの他の印刷例を示すものである。  
図１８に示すストライプ模様の模様パターンは、複数本の縦線からなる縦線柄５４と、複数本の横線からなる横線柄５５と、複数本の斜め線からなる斜線柄５６とを桝目状に配列した例である。また、縦線柄５４、横線柄５５、斜線柄５６の中から選択した一つの柄又は複数の柄を組み合わせて配列してもよい。
【００８６】
また、図１９に示す星模様の模様パターンは、同一の色又は異なる色の星柄５７を多数配列した例である。また、図２０に示す花模様の模様パターンは、同一の色又は異なる色の花柄５８を多数配列した例である。
【００８７】
また、図２１に示すリング模様の模様パターンは、同一の線幅で異なる径に形成された複数のリング柄５９を径が大きくなる順に配列した例である。なお、リング柄５９の線幅を、異なる線幅に形成してもよい。
【００８８】
なお、前記ストライプ模様、星模様、花模様、リング模様の模様パターンを、単一色のインクで１層に印刷するか、異なる色のインクで表裏２層に印刷してもよい。また、各柄を、異なる大きさに形成してもよい。
【００８９】
図２２は、前記模様層３の模様パターンにグラデーションを付けたその他の印刷例を示すものである。  
つまり、模様層３の網点３Ａは、図中の左側から右側に向けて徐々に小径となる順に配列され、隣り合う網点３Ａの間隔が広くなるグラデーションを付けて印刷されている。これにより、模様層３の模様パターンの濃度が徐々に薄くなるか、徐々に濃くなるような密状態と粗状態との間で変化するグラデーションを有するモアレ模様を現出することができる。
【００９０】
なお、模様層３の網点３Ａを、図中の右側から左側に向けて徐々に小径となる順に配列して、左側に向かうほど粗状態から密状態へ変化するようなグラデーションを付けて印刷してもよい。また、図中の上側から下側或いは下側から上側に向けて、徐々に粗状態又は密状態となるようなグラデーションを付けて印刷してもよい。
【００９１】
また、図１８〜図２１に示す模様層３の模様パターンに、図２２に示すようなグラデーションを付けてもよく、前記と同じグラデーションを有するモアレ模様を現出することができる。
【００９２】
この発明の構成と、前記実施形態との対応において、
この発明の透光層は、装飾プレート２及び透光空間２０に対応し、
以下同様に、
間隔調節手段は、間隔調節機構５１に対応するも、
この発明は、上述の実施形態の構成のみに限定されるものではなく、請求項に示される技術思想に基づいて応用することができ、多くの実施の形態を得ることができる。
【産業上の利用可能性】
【００９３】
本発明のモアレ模様装飾体は、例えばゲームセンターや遊戯場に設置されるゲーム機、遊技機、或いは、宣伝、案内、装飾等に用いることができる。
【符号の説明】
【００９４】
１…モアレ模様装飾体
２…装飾プレート
２０…透光空間
２１…凸レンズ
３…模様層
３Ａ…網点
３０…第１プレート
３１…表側網点
３２…裏側網点
３３…透過防止膜
４…鏡面層
４ａ…鏡面
４０…第２プレート
５０…支持部材
５１…間隔調節機構
５３…透明シート
５４…縦線柄
５５…横線柄
５６…斜線柄
５７…星柄
５８…花柄
５９…リング柄
【図１】
2010162807.tif 000003
【図２】
2010162807.tif 000004
【図３】
2010162807.tif 000005
【図４】
2010162807.tif 000006
【図５】
2010162807.tif 000007
【図６】
2010162807.tif 000008
【図７】
2010162807.tif 000009
【図８】
2010162807.tif 000010
【図９】
2010162807.tif 000011
【図１０】
2010162807.tif 000012
【図１１】
2010162807.tif 000013
【図１２】
2010162807.tif 000014
【図１３】
2010162807.tif 000015
【図１４】
2010162807.tif 000016
【図１５】
2010162807.tif 000017
【図１６】
2010162807.tif 000018
【図１７】
2010162807.tif 000019
【図１８】
2010162807.tif 000020
【図１９】
2010162807.tif 000021
【図２０】
2010162807.tif 000022
【図２１】
2010162807.tif 000023
【図２２】
2010162807.tif 000024